(57)【要約】【課題】  本発明は、丸ビレットの切断機バリ取り装置を提供する。【解決手段】  切断機のバリ取り装置において、丸ビレットを平面バイスで鋏込み、該丸ビレットに近接可能にバリ取り装置を固定し、左右対称の形状を持つ平面バイスと丸ビレットとの空間のないように設置することを特徴とする切断機バリ取り装置。また、上記切断機バリ取り装置は固定ボルトにて固定することを特徴とする切断機バリ取り装置。【効果】  本発明によりバリの発生を抑制することが可能となり、かつ仮にバリの発生があっても容易に切断することを可能としたことにより、品質および設備の保全性を向上することが出来る。【選択図】    図３
2007136625.tif 000002
【特許請求の範囲】
【請求項１】
切断機のバリ取り装置において、丸ビレットを平面バイスで鋏込み、該丸ビレットに近接可能にバリ取り装置を固定し、左右対称の形状を持つ平面バイスと丸ビレットとの空間のないように設置することを特徴とする切断機バリ取り装置。
【請求項２】
請求項１に記載の切断機バリ取り装置は固定ボルトにて固定することを特徴とする切断機バリ取り装置。
【発明の詳細な説明】
【技術分野】
【０００１】
本発明は、丸ビレットの切断機バリ取り装置に関するものである。
【背景技術】
【０００２】
従来、丸鋼、丸ビレット等を切断した時に、この丸鋼、丸ビレット等の終り部にバリ等が発生していた。このバリ等が付いた状態で下流ライン設備に流した場合に、特に製品側に多く発生し、品質上の問題および設備の破損に繋がると言う問題がある。そのためは切断状態でバリが付かない装置を検討する必要がある。そこで、丸ビレット等にバリが生じない装置ないしは生じても容易に切断する装置が要望されている。そのような背景のもとに、切断機のバリ取り装置として、例えば特開平６−２１８６２２号公報（特許文献１）が開示されている。
【０００３】
上記特許文献１には、ワーク切断時に発生した、バリ、カエリ等を除去して製品価値の向上を図るために、ベース上にワークをクランプするバイス装置を備えた帯鋸盤にして、この帯鋸盤の帯鋸刃にてワークを切断した時にワークに生じたバリを除去するバリ取り装置を設けた切断機のバリ取り装置にある。また、特開平７−２４６３３号公報（特許文献２）に開示されているように、バリ幅より２〜３ｍｍ広く、バリ先端が当接する溝の辺が正の角度を有する螺旋状の溝を有する棒鋼を鋼管端面に対して所定角度で回転させるバリ折込み機と鋼管の回転させる鋼管回転機構とからなる鋼管切断面のバリ処理装置およびその方法が提案されている。
【０００４】
【特許文献１】特開平６−２１８６２２号公報
【特許文献２】特開平７−２４６３３号公報
【発明の開示】
【発明が解決しようとする課題】
【０００５】
上述したように特許文献１はベース上にワークをクランプするバイス装置を備えた帯鋸盤にして、この帯鋸盤の帯鋸刃にてワークを切断した時にワークに生じたバリを除去するバリ取り装置を設けた切断機のバリ取り装置であり、バリの発生を抑制する装置とは異なる。また、特許文献２は、鋼管切断時に発生する鋼管内面側で、かつ外面に出たバリを処理する方法であって、丸鋼のごとき丸ビレットを切断した場合での対策とは異なる。
【課題を解決するための手段】
【０００６】
上述したような問題を解消するために、発明者らは鋭意検討を重ねた結果、丸ビレットを平面バイスで鋏み込み、鋸刃で切断した場合に空間ができる。この空間にバリが折れ曲がりながら、鋸刃から逃げて切断されずに丸ビレット端部に付着したままとなることから、この空間を無くしてやることで、バリの逃げる場所が無くなり、鋸刃によって切断されるものである。
【０００７】
その発明の要旨とするところは、
（１）切断機のバリ取り装置において、丸ビレットを平面バイスで鋏込み、該丸ビレットに近接可能にバリ取り装置を固定し、左右対称の形状を持つ平面バイスと丸ビレットとの空間のないように設置することを特徴とする切断機バリ取り装置。
（２）前記（１）に記載の切断機バリ取り装置は固定ボルトにて固定することを特徴とする切断機バリ取り装置にある。
【発明の効果】
【０００８】
以上述べたように、本発明によるバリが逃げるスペースを無くするための装置を設置することで、バリの発生を抑制することが可能となり、かつ仮にバリの発生があっても容易に切断することを可能としたことにより、品質および設備の保全性を向上することが出来る極めて優れた効果を奏するものである。
【発明を実施するための最良の形態】
【０００９】
以下、本発明について図面に従って詳細に説明する。
図１は、切断機でのバリ発生過程を示す図である。図１（ａ）は丸ビレット１を切断機による丸鋸刃２にて切断する初期段階でのバリ３の発生状況を示す図である。また、図１（ｂ）は切断する過程中でのバリ３の発生状況を示す図である。さらに、図１（ｃ）は最終段階でのバリの状況を示す図である。この図に示すように、切断機による丸鋸刃２にて丸ビレット１を切断する場合、切断過程でビレット１の切り終わり部にバリ３等が発生する。このバリ３は最終的には図１（ｃ）のように付着した状態で製品側に残る。この付着したバリは、製品としてに価値を低下させるばかりでなく、鍛製品の材料として、また、品質上の問題および設備の破損に繋がるという問題がある。
【００１０】
なお、切断機としては、例えば丸鋸刃や帯鋸盤等があるが、本発明では丸鋸刃を対象として説明する。また、切断材料としては、形鋼、平板鋼、丸鋼、角棒等が対象にあるが、本発明では丸ビレットを対象として説明する。図２は、切断時の丸ビレットと平面バイスとの配置を示す断面図である。図２（ａ）は正面断面図であり、図２（ｂ）は横断面図である。この図に示すように、丸ビレット１を平面バイス４で鋏込み、丸鋸刃２にて切断した場合に空間部５が生じる。この空間部５にバリが折り曲がりながら、丸鋸刃２から逃げて切断されずに丸ビレット１の端部に付着した状態で留まるものである。従って、この空間部５を無くしてやれば、バリの逃げ場所が無くなり丸鋸刃２によって切断されることになる。
【００１１】
図３は、バリ取り装置が丸ビレットとの開放時の横断面図である。この図に示すように、丸ビレット１を移送ローラ８上に載置され、バリ取り装置６が丸ビレット１と開放された状態でガイドプレート７によって丸ビレット１が押さえられている。このガイドプレート７は材料径により調節を可能とするものである。図４は、バリ取り装置が丸ビレットと接触した時の横断面図である。この図に示すように、丸ビレット１を移送ローラ８上に載置された状態で、バリ取り装置６が丸ビレット１を切断する場合でのガイドプレート７によって丸ビレット１が押さ付け、バリ取り装置６が丸ビレット１に接触する。
【００１２】
上述した図３および図４に示すように、バリ取り装置６である平面バイス４の形状を丸ビレット１に近接可能に固定し、その平面バイス４を左右対象の形状とし、かつ丸ビレット１との空間のないような形状とすると共に、その平面バイス４を設置することで、丸ビレット１との空隙をなくし、バリが逃げるスペースを無くすることで、バリの発生を抑制することが可能となるものである。
【００１３】
図５は、バリ取り装置の上面断面図である。丸ビレットをバリ取り板１０で鋏込み、この丸ビレットに近接可能な左右対称の形状を持つように構成し、このバリ取り板１０間は最小切断長さとし、しかも材料径により、このバリ取り板は交換可能とする。符号１１はプレートである。
【００１４】
図６は、バリ取り装置の治具の固定状態を示す図である。この図に示すように、バリ取り装置の治具であるバリ取り板１０は平面バイス４に取付けられ、このバリ取り板は固定ボルト９によりプレート１１に固定し、平面バイス４と丸ビレット１の空間のないように設置するように構成する。なお、このバリ取り装置は１ヶ所の固定ボルト９にて固定するのが望ましい。
【００１５】
上記固定方法は出来るだけ簡素化し、溝の中に落ち込み、左右の振れをなくして固定し、その固定はボルトにて１ヶ所でセッティングする。また、平面バイス４は丸鋸刃の寿命が近づくと切断時に丸鋸刃の振れが大きくなるため、バリ取り板１０まで削ってしまう場合があることから、その際は左右対称にしている関係から、振り替えて使用出来るように構成した。さらに、形状は工具的要素もある関係から製作費用を安価にして、丸ビレットの形状に近接可能にした。
【実施例】
【００１６】
上述したような構成によるバリ取り装置を用いて、先ず、バリ取り装置が丸ビレット１を移送ローラ上に載置して丸ビレットにバリ取り装置を近接させ、平面バイス４で鋏み込み空間部を無くした状態で丸ビレット１を丸鋸刃２で切断する。その結果、バリの発生が極めて少なく、もし発生してもバリ取りが容易となり、バリ取り時間が従来２０ｓｅｃ／回の時間を要していたものが、殆ど０に近い時間となり、また、カット数も従来１時間当たり８カット程度バリが生じていたものが、本発明により殆ど０になり、それらのカット時間が大幅に縮小され、バリ取り時間が無に近いものとなった。これにより時間は勿論のこと、品質、設備の保全性の向上に極めて有利となった。
【図面の簡単な説明】
【００１７】
【図１】切断機でのバリ発生過程を示す図である。
【図２】切断時の丸ビレットとバイスとの配置を示す断面図である。
【図３】バリ取り装置が丸ビレットとの開放時の横断面図である。
【図４】バリ取り装置がが丸ビレットと接触した時の横断面図である。
【図５】バリ取り装置の上面断面図である。
【図６】バリ取り装置の固定状態を示す図である。
【符号の説明】
【００１８】
１  丸ビレット
２  丸鋸刃
３  バリ
４  平面バイス
５  空間部
６  バリ取り装置
７  ガイドプレート
８  移送ローラ
９  固定ボルト
１０  バリ取り板
１１  プレート
特許出願人  山陽特殊製鋼株式会社  他１名
代理人    弁理士    椎  名    彊
【図１】
2007136625.tif 000003
【図２】
2007136625.tif 000004
【図３】
2007136625.tif 000005
【図４】
2007136625.tif 000006
【図５】
2007136625.tif 000007
【図６】
2007136625.tif 000008